(57)【要約】【課題】パチンコホール等の遊技場が提供するイベント等のサービス情報を、遊技者に有効に伝える遊技場用情報表示システムを提供する。【解決手段】パチンコホール等の遊技場において、サービス映像表示装置１が遊技台３の台毎に設置される。このサービス映像表示装置１は液晶表示部２が組み込まれており、その液晶表示部２には遊技者向けのサービス情報が表示されるようになっている。液晶表示部２は表裏両面に組み込まれており、遊技場のどの方向からも表示内容を確認することができる。【選択図】図１
2008295840.tif 000002
【特許請求の範囲】
【請求項１】
遊技台毎に対応して設けられた表示手段を備え、この表示手段に遊技場管理者の設定に応じて選択されたサービス情報を表示するように構成された遊技場用サービス情報表示システムにおいて、複数設置される前記表示手段に対して、それぞれ異なるサービス情報を表示することを特徴とする遊技場用サービス情報表示システム。
【請求項２】
前記表示手段は、表裏両面に液晶表示部を備え、この液晶表示部両面に同じ映像を表示することを特徴とする請求項１記載の遊技場用サービス情報表示システム。
【請求項３】
前記表示手段は、対応して接続する遊技台が特賞状態となった時は、サービス情報を特定の映像データに自動で切り替えて表示することを特徴とする請求項１〜２のいずれかに記載の遊技場用サービス情報表示システム。
【請求項４】
前記サービス情報は、遊技場管理者が映像提供事業者の運営するサーバからインターネットを介して任意に選択し、遊技場の専用端末内に保存することを特徴とする請求項１〜３のいずれかに記載の遊技場用サービス情報表示システム。
【請求項５】
前記専用端末は、複数設置される前記表示手段に対しての表示設定を行う設定ソフトウェアを備え、遊技場管理者はこの設定ソフトウェアを使用して、前記サービス情報の選択または前記サービス情報の表示時間設定等を行うことを特徴とする請求項１〜４のいずれかに記載の遊技場用サービス情報表示システム。
【発明の詳細な説明】
【技術分野】
【０００１】
本発明は、パチンコ機、スロットマシン等の遊技台毎に設置されるサービス情報表示機および前記映像表示機を制御するプログラムを有するソフトウェアを用いた遊技場用サービス情報表示システムに関する。
【背景技術】
【０００２】
遊技場に設置されるパチンコ機やスロットマシン等の遊技台は、大当りが発生し易いものと、そうでは無いものに調整され稼動している。
【０００３】
遊技台の調整度合いは遊技者からは判別し辛いことから、遊技場は遊技者に対して、大当り回数等の履歴情報を提供する表示装置（例えば、特許文献１参照）や、会員情報や出玉情報等を提供する表示装置（例えば、特許文献２参照）等を設置して情報を提供している。
【特許文献１】特開２００１−２９５４１号公報
【特許文献２】特開２００３−２８４８６４号公報
【０００４】
上記表示装置は遊技台個々の情報を提供することに対しては有効であるが、一般の遊技者は、これらの情報から大当り調整度合いを判断するのは困難である。
【０００５】
そこで遊技場は上記表示装置等での情報提供以外にも、大当り調整の良い遊技台に対してヒントとなる情報が印刷されたプレートを遊技台毎に設置し、遊技者が優秀台を推察し易いようにしている。
【０００６】
また、上記プレートは店内イベント情報や、新しい遊技台を導入したことを知らせる新台情報、大当り回数や出玉履歴を知らせる履歴情報（以降、これらの情報を総称してサービス情報と呼ぶ）等の告知にも使用されている。
【０００７】
遊技者は、上記プレートを一つの目安として、大当り調整の良い遊技台を推察して選択している。
【発明の開示】
【発明が解決しようとする課題】
【０００８】
しかし、プレートを使用したサービス情報の提供方法は表現内容に限りがあり、多数のプレートを設置することで店内景観を煩雑にしてしまっている。
【０００９】
また、前記情報表示装置にサービス情報を表示する形態では表示面積も限られているので、他の遊技者からは情報を視認し辛い。
【００１０】
本発明はサービス情報を動画、もしくは静止画の映像データとして提供可能な液晶表示部を備える遊技場用サービス情報表示装置、および遊技場用サービス情報表示装置を用いた遊技場用サービス情報表示システムを提供することである。
【課題を解決するための手段】
【００１１】
本発明による遊技場用サービス情報表示装置は遊技場に設置された複数のパチンコ機およびスロットマシン等の遊技台に対して各々対応して設けられ、サービス情報を静止画や動画等の映像データ（以降、サービス映像と呼ぶ）として表示する液晶表示部を表裏両面に備え、遊技台に対して垂直に近い形で設置されることを特徴とし、遊技場のどの位置からも表示内容を視認することができる。
【００１２】
本発明による遊技場用サービス情報表示装置は、外部制御装置（後に詳細を記載）から送られるサービス映像を受信する受信手段をもち、受信手段により受信したサービス映像を保存できるサービス映像保存手段を持ち、保存手段によって保存されたサービス映像を液晶表示部に表示させる制御手段を持つ。
【００１３】
本発明による遊技場用サービス情報表示装置は、外部制御装置から送られる表示内容プログラム（後に詳細を記載）を受信する受信手段をもち、受信手段により受信した表示内容プログラムに基づいて前記保存されたサービス映像を制御する制御手段を持つ。
【００１４】
本発明による遊技場用サービス情報表示装置は、各々対応する遊技台とも接続され、前記遊技台からの情報を取得する取得手段を持ち、取得手段により取得した遊技台情報を、あらかじめ前記外部制御装置から取得した表示内容プログラムに基づいて、前記保存されたサービス映像を液晶表示部に表示させる制御手段を持つ。
【００１５】
本発明による遊技場用サービス情報表示装置は、前記外部制御装置から送られる表示内容プログラムに基づいたサービス映像表示状態から、取得手段により取得した遊技台情報に基づくサービス映像表示に切り替えて表示させる制御手段を持つ。
【００１６】
前記遊技場用サービス情報表示装置における表示手法によって、従来のプレートによる店内景観の煩雑さは無くなり、遊技場店員が台毎にプレートを設置して回る手間を排除することを可能にする。
【００１７】
また、映像データを使用することによって、サービス情報の提供方法に自由度が増し、他店とのサービス情報提供方法の差別化を図ることを可能にする。
【００１８】
前記外部制御装置は、遊技場用サービス情報表示装置の選択、および遊技場用サービス情報表示装置に表示する映像データの選択、およびその表示時間等を設定する専用制御ソフトウェアを備える。
【００１９】
前記専用制御ソフトウェアは、遊技場用サービス情報表示装置に表示するサービス映像を時間軸に沿って切り替えることを可能にし、またその任意の切り替え設定を保存可能な特徴を持つプログラムである。
【００２０】
前記専用ソフトウェアを使用することで、例えば遊技台の大当り調整の度合いを上、中、下とした場合、それらを順に「金メダル」、「銀メダル」、「銅メダル」のイラストが回転する動画で表し、遊技場開店時は遊技場用サービス情報表示装置全てに「銅メダル」の動画を表示し、３時間後には１部の島の遊技場用サービス情報表示を「銀メダル」の動画の表示に切り替え、６時間後には数台の遊技場用サービス情報表示装置を最も大当り調整の良い「金メダル」の動画を表示させるように設定するなど、サービスの提供にさまざまな演出を考案できる。
【００２１】
遊技場用サービス情報表示装置が外部制御装置のプログラムに基づいて表示されるサービス映像と、遊技台からの遊技台情報に基づいて表示されるサービス映像とを、切り替えて表示する制御手段を持つことから、例えば、前記専用ソフトウェアを用いて「本日のおすすめ台」という内容のサービス映像を表示するよう設定してある状況において、その遊技場用サービス情報表示装置に対応する遊技台から特賞の遊技台情報を取得すると、 「大当り！本日15回目」等の遊技台情報に基づいて表示されるサービス映像に自動で切り替わり、遊技台の特賞終了の遊技台情報を取得すると、再び、前記専用ソフトウェアを用いて設定した「本日のおすすめ台」という内容のサービス映像表示に自動で切り替わる。
【００２２】
また、複数の遊技場用サービス情報表示装置に対して、同時にサービス映像の切り替え指示を実行できることにより、サービス提供の時間差が生じなくなる。
【００２３】
前記外部制御装置は、インターネットに接続する接続手段をもち、接続手段によってインターネットに接続し、映像提供事業者のサーバにアクセスすることができる。
【００２４】
映像提供事業者のサーバ上には、「本日はお客さま感謝デー」、「金メダルを探せ」、「新台」等の遊技場イベントに関するサービス映像や、「大当り１０回目！」、「３０００枚突破」、「確率変動突入中」等の遊技情報に関する映像データが蓄積され、遊技場は前記接続手段から前記サーバに接続することにより、任意の映像データを選択し、外部制御装置にダウンロードすることができる。
【００２５】
前記手法で外部制御装置にダウンロードした映像データは、専用制御ソフトウェア上に直ちに反映され、遊技場用サービス情報表示装置に表示する設定を行うことができる。
【００２６】
これにより、遊技場は独自のサービス提供方針に沿った最新の映像データを任意に入手することができる。
【００２７】
本発明に係る遊技場用表示システムは、遊技台毎に設置される複数の遊技場用サービス情報表示装置と、それらに対し画像を映像データとして送信する外部制御装置を備え、前記複数の遊技場用サービス情報表示装置はそれぞれ対応する遊技台と接続され、遊技台の情報を遊技台情報として取得する取得手段と、外部制御装置から映像データと制御プログラムを受信する通信手段と、通信手段により受信された映像データを記憶する映像データ記憶手段と、通信手段により受信された制御プログラムを記憶する制御プログラム記憶手段と、制御プログラム記憶手段により記憶された制御プログラムを実行する制御プログラム実行手段と、映像データ記憶手段により記憶された映像データを制御プログラム実行手段に基づいて液晶表示機に画像を表示させる制御手段とを備えるものである。
【発明の効果】
【００２８】
本発明に係る遊技場用表示システムは、表裏両面に液晶表示部を備える遊技場用サービス情報表示装置に静止画もしくは動画等のサービス情報を映像データとして表示することができる。これによって遊技場の煩雑な景観を粉飾し、且つ斬新さを遊技者にアピールすることで集客率の向上が見込まれる。
【００２９】
また、遊技場用サービス情報表示装置に表示する映像データは、映像提供事業者からインターネット等による通信手段により、常に最新のものを簡単に入手することができ、さらに専用制御ソフトウェアを使うことで、それら映像データの表示方法にも無限の組み合わせを任意に考案可能なことから、遊技者へのサービス提供方法に、他店との差別化を図ることができる。
【発明を実施するための最良の形態】
【００３０】
以下、本発明に係る表示装置について図面を参照しながら説明する。
【００３１】
図１は、本実施の形態に係るサービス情報表示装置を遊技台に取り付けた状態を示す斜視図である。
【００３２】
図１に示すように、パチンコホール等の遊技場内には、パチンコ機やスロットマシン等の遊技台３を複数台並設する島設備４が複数設置されている。
【００３３】
遊技台３の上部には、通常、その遊技台の特賞回数・変動回数等の情報が表示される遊技情報表示装置５が設置されている。
【００３４】
複数のサービス情報表示装置１は複数の遊技台３それぞれの上部に垂直に設置される。
【００３５】
複数のサービス情報表示装置１は対応する遊技台３とそれぞれ接続され、その遊技台の情報を遊技情報として取得し、その情報をもとに、あらかじめ設定された映像データを液晶表示部２に表示する。
【００３６】
図２は、本実施の形態に係るサービス情報表示システムの構成概要を示すものである。
【００３７】
遊技場８に設置される複数のサービス情報表示装置１は、各島設備４内に設置された島制御装置６と各々接続してあり、島制御装置６は各々外部制御装置７と接続され、また外部制御装置７はインターネット９を介して映像提供事業者１０と通信できるよう接続されている。
【００３８】
外部制御装置７は映像提供事業者１０からインターネット９を介してサービス情報を映像データとして任意にダウンロードして保存すると共に、外部制御装置７内にインストールされている専用制御ソフトウェア（後に詳細表示）を使用して表示方法を設定し、その設定データと保存した映像データを島制御装置６を介して複数のサービス情報表示装置１に送信することを可能とし、複数のサービス情報表示装置１はそれらデータを保存し、保存された設定データに従って映像データを表示する。
【００３９】
また、複数のサービス情報表示装置１はそれぞれ対応して接続された遊技台３から遊技情報を受信し、その情報をもとに前記設定データに従って映像データを表示する。
【００４０】
なお、複数の島制御装置６は外部制御装置７と複数のサービス情報表示装置１とを接続する中継点として機能し、遊技場内のネットワークを簡略化させる。
【００４１】
また、島制御装置６と外部制御装置７は無線通信で結ぶようにしてもよい。
【００４２】
図３は、サービス情報表示装置を平面図で示すものである。
【００４３】
サービス情報表示装置１は遊技台に対して垂直に設置され、両面に液晶表示部２を備え、どちらにも同じ画像を表示し、「視線a」、「視線b」に示すように遊技場の広い範囲の遊技者に対して映像を視認させることができる。
【００４４】
サービス情報表示装置１はＬＥＤ等を光源とするランプ発光部１１を備え、液晶表示部２に表示される映像と合わせて点滅、または点灯し、より多くの視線を集めることができる。
【００４５】
また、サービス情報表示装置１はスピーカー１２を備え、液晶表示部の映像に合わせた効果音や音声を発生させることができる。
【００４６】
サービス情報表示装置１は液晶表示部２に表示する映像とランプ発光部１１における光の演出、スピーカー１２からの音の演出等によって、様々な演出効果を表現することができる。
【００４７】
図４は、サービス情報表示装置の構成概要を示すブロック図である。
【００４８】
サービス情報表示装置１は、ＣＰＵよりなる制御部１０１とＲＡＭ１０２と電源回路１０３を接続すると共に、通信制御部１０４から島制御装置６を介して外部制御装置から映像データ、サウンドデータ、設定データ等の受信することを可能とし、更に受信制御部１０５を介して遊技台の遊技情報を受信する。
【００４９】
制御部１０１はグラフィック制御部１０６を介して液晶表示部２へ適宜な表示指示と、バックライト駆動部１０７への駆動命令を行う。
【００５０】
また、制御部１０１は通信制御部１０４を介して受信した外部制御装置からの映像データ、サウンドデータ、設定データ等を、記憶部１０８に記憶保持すると共に、記憶保持された設定データ等に基づいて、グラフィック制御部１０６とサウンド制御部１０９、ランプ制御部１１０の動作制御を行う。
【００５１】
更に、制御部１０１は受信制御部１０５を介して受信した遊技台からの遊技情報を前記記憶保持された設定データに基づいて、必要な映像データやサウンドデータ、設定データを読み出し、グラフィック制御部１０６とサウンド制御部１０９、ランプ制御部１１０の動作制御を行う。
【００５２】
なお、記憶部１０８に不揮発性のメモリを使用すれば、電源回路１０３からの給電が断たれた後にも、記憶保持されたデータを消失せずに済む。
【００５３】
これにより、遊技場営業前に遊技場側が外部制御装置によるサービス情報表示の設定を済まし、サービス情報表示装置１にデータを送信しておけば、電源回路１０３からの給電が断たれた後にも、データは消失せず、電源回路１０３に再度給電を開始することで、制御部１０１は記憶部１０８に記憶保持された設定データ等に基づいて各動作制御を行うことができる。
【００５４】
図５はサービス情報表示装置の液晶表示部に表示される、サービス情報の例である。
【００５５】
表示例２００は対応する遊技台が他の遊技台と比較して、大当りを発生し易く調整してあることを遊技者に伝えるサービス映像の１例であり、調整した度合いを上中下とした場合、それらを順に「金メダル」、「銀メダル」、「銅メダル」のイラストに置き換えて情報を提供する。
【００５６】
表示例２０１は遊技場が遊技者にサービスを強く訴求するためのサービス映像の１例であり、遊技場独自のサービス映像を、映像提供会社に制作を依頼して使用することも可能である。
【００５７】
また、新しい遊技台を導入した際には、遊技者に対して表示例２０３の様な動画映像で情報を告知することが可能であり、ポスター等と比較しても、高い訴求効果を得られる。
【００５８】
図６はサービス情報表示装置の液晶表示部に表示される、遊技情報の例である。
【００５９】
サービス情報表示装置が接続された遊技台から「大当り」等の遊技情報を受信し、その情報に基づいて、予め記憶されている「大当り！１５回目」の映像データを表示する。
【００６０】
また前記表示例２００のサービス映像が表示されている状態で、接続された遊技台から「大当り」等の遊技情報を受信した場合は、こちらの表示を優先して表示する。
【００６１】
図７はサービス情報表示装置の液晶表示部に表示されるサービス情報を、時間軸に沿って切り替える設定を加えた場合の例である。
【００６２】
サービス情報の切り替え設定のされていないサービス情報表示装置２０３と、サービス情報の切り替え設定のされているサービス情報表示装置２０４共に「爆弾」の映像を表示し、設定した時刻でサービス情報の切り替え設定のされているサービス情報表示装置２０４のみが、映像切り替え後のサービス情報表示装置２０５のように「爆発」の映像に切り替える等の演出を設定することができる。
【００６３】
このように、時間軸に沿ってサービス情報の切り替えをすることにより、遊技場は遊技者に対して、様々な情報提供方法を演出することが可能になる。
【００６４】
図８は、上記したサービス情報表示システムを構成する外部制御装置のサービス映像設定に関連した処理動作のフローチャートである。
【００６５】
以下、図２および図９〜図１３を参照しながら処理動作のフローチャートを説明する。
【００６６】
図８に示すように、図２の外部制御装置７は入力端末等からの操作入力によって、サービス映像選択が行われたか否かを判定し（ステップS１）、選択があった場合は、図９のサービス映像ジャンル選択画面３００を表示（ステップS２−１）する。
【００６７】
図９のサービス映像ジャンル選択画面３００からサービス映像ジャンルボタン３０１の選択が行なわれたか否かを判定し（ステップＳ２−２）、選択があった場合には、図１０のサービス映像サムネール一覧画面３１０を表示（ステップS３−１）する。
【００６８】
図１０のサービス映像サムネール一覧画面３１０から、サービス映像選択ボタン３１１を選択が行われたか否かを判定し（ステップＳ３−２）、選択があった場合は、図１１のサービス映像表示時間設定画面３２０を表示（ステップS４−１）する。
【００６９】
図１１のサービス映像表示時間設定画面３２０において、開店から１２：００までのような複数の表示時間設定ボタン３２１、もしくは終日表示設定ボタン３２２いずれかの選択が行なわれたか否かを判定し（ステップS４−２）、選択があった場合には、図１２のサービス映像を表示させるサービス映像表示機を選択するサービス映像表示機選択画面３３０を表示（ステップS５−１）する。また、前記ステップS４−２において、サービス映像表示時間を無期限に表示以外を選択した場合は、ステップS２−１からステップS４−２までを繰り返すことで、時間ごとにサービス映像表示内容を切り替える設定をすることができる。
【００７０】
図１２のサービス映像表示機選択画面３３０は、遊技場内の遊技台を台番号順に配置した複数の遊技台ボタン３３１と、遊技台をグループとして扱う複数の島一括ボタン３３２、遊技台全台を対象とする全台選択ボタン３３３、ステップＳ３−２で選択されたサービス映像をアイコンとして表示されるサービス映像アイコン３３４で構成され、サービス映像を個別に表示させたい場合は遊技台に対応した表示機番号を持つ遊技台ボタン３３１を選択、サービス映像を島ごとに表示させたい場合は対応した島番号を持つ島一括ボタン３３２を選択、サービス映像を遊技場に設置された表示機全台に表示させたい場合は全台選択ボタン３３３を選択する。
【００７１】
図１２のサービス映像表示機選択画面３３０において、サービス映像表示機の選択が行われたか否かを判定し（ステップS５−２）、選択があった場合には、図１３のサービス映像送信確認画面３４０を表示（ステップS６−１）する。
【００７２】
図１３のサービス映像送信確認画面３４０から、送信ボタン３４１が選択されたか否かを判定し（ステップS６−２）、選択があった場合は、サービス映像表示情報をステップS５−２で選択されたサービス映像表示機に送信する（ステップS７）。
【００７３】
図１４には、本発明に係る遊技場用サービス情報表示システムを用いた際の、情報および料金の授受の一例を示す。
【００７４】
遊技場８は、映像提供事業者１０とサービス映像利用に関する契約を結ぶことにより、映像提供事業者１０の運営するサーバ４００にアクセスすることを可能にし、任意にサービス映像５００をダウンロードすることができる。
【００７５】
また、遊技場８は契約と同時に映像提供事業者１０から提供される外部制御装置にダウンロードした映像を保存することができ、同じく映像提供事業者１０から提供されるサービス映像表示機に任意の設定で表示することができる。
【００７６】
映像提供事業者１０は、サービス映像５００を制作しサーバ４００を介して遊技場８にデータを提供する。
【００７７】
また、映像提供事業者１０は遊技台開発メーカ等の外部企業４０１に対し、著作権使用料５０１を支払うことにより、新台のキャラクターや映像等のコンテンツ５０２の提供を受け、そのコンテンツを用いた新台情報映像を制作し、新台の発表と同時に遊技場８に提供することができる。
【００７８】
これらサーバ４００を介するデジタルでの映像提供方法によって、映像使用回数を明確にし、煩雑だった著作権に関する扱いも円滑に行うことが可能となる。
【００７９】
また、遊技場８から映像提供事業者１０に対して、独自の映像制作依頼５０３を行い、制作料金を支払うことで、遊技場固有の映像コンテンツを利用することも可能となる。
【図面の簡単な説明】
【００８０】
【図１】本実施の形態に係る表示装置を対応する遊技台の横に取り付けた状態を示す斜視図である。
【図２】本実施の形態に係る表示装置を用いたシステムの構成を示す模式図である。
【図３】表示装置の正面図及び側面図である。
【図４】表示装置の制御系を示すブロック図である。
【図５】液晶表示部の表示の例を示す図である。
【図６】液晶表示部の表示の例を示す図である。
【図７】液晶表示部の表示の例を示す図である。
【図８】外部制御装置の操作による画像選択処理動作のフローチャートである。
【図９】外部制御装置のディスプレイに表示される映像ジャンル選択画面を示す模式図である。
【図１０】外部制御装置のディスプレイに表示される映像選択画面を示す模式図である。
【図１１】外部制御装置のディスプレイに表示される映像表示時間選択画面を示す模式図である。
【図１２】外部制御装置のディスプレイに表示される映像表示機選択画面を示す模式図である。
【図１３】外部制御装置のディスプレイに表示される映像選択確認画面を示す模式図である。
【図１４】本実施の形態に係る表示装置を用いた情報配信システムを示すブロック図である。
【符号の説明】
【００８１】
１    サービス映像表示装置
２    液晶表示部
３    遊技台
４    島設備
５    遊技情報表示装置
６    島制御装置
７    外部制御装置
８    遊技場
９    インターネット
１０    映像提供事業者
１１    ランプ発光部
１２    スピーカー
１０１    制御部
１０２    ＲＡＭ
１０３    電源回路
１０４    通信制御部
１０５    受信制御部
１０６    グラフィック制御部
１０７    バックライト駆動部
１０８    記憶部
１０９    サウンド制御部
１１０    ランプ制御部
２００    表示例１
２０１    表示例２
２０２    表示例３
２０３    切り替え設定のされていないサービス情報表示装置
２０４    切り替え設定のされているサービス情報表示装置
２０５    映像切り替え後のサービス情報表示装置
３００    サービス映像ジャンル選択画面
３０１    サービス映像ジャンルボタン
３１０    サービス映像サムネール一覧画面
３１１    サービス映像選択ボタン
３２０    サービス映像表示時間設定画面
３２１    表示時間設定ボタン
３２２    終日表示設定ボタン
３３０    サービス映像表示機選択画面
３３１    遊技台ボタン
３３２    島一括ボタン
３３３    全台選択ボタン
３４０    サービス映像送信確認画面
３４１    送信ボタン
４００    サーバ
４０１    遊技台開発メーカ等の外部企業
５００    サービス映像
５０１    著作権使用料
５０２    新台のキャラクターや映像等のコンテンツ
５０３    映像制作依頼
【図１】
2008295840.tif 000003
【図２】
2008295840.tif 000004
【図３】
2008295840.tif 000005
【図４】
2008295840.tif 000006
【図５】
2008295840.tif 000007
【図６】
2008295840.tif 000008
【図７】
2008295840.tif 000009
【図８】
2008295840.tif 000010
【図９】
2008295840.tif 000011
【図１０】
2008295840.tif 000012
【図１１】
2008295840.tif 000013
【図１２】
2008295840.tif 000014
【図１３】
2008295840.tif 000015
【図１４】
2008295840.tif 000016